(57)【要約】      （修正有）【課題】容易で、作業能率が向上する二次元コード印刷の検査を支援する装置を提供する。【解決手段】ＷＥＢサイトのＵＲＬを含んむ二次元コードを含む製版データを画像メモリーに保持する製版データ取得手段と、保持された製版データから二次元コードを抽出する二次元コード抽出手段と、前記抽出された二次元コード画像を復号して、テキストデータを取得する二次元コード復号手段と、テキストデータに含まれるＷＥＢサイトのＵＲＬにてＷＥＢサイトからＷＥＢページデータを取得して、ＷＥＢページ画像を生成するブラウザと、ＷＥＢページ画像を保存するＷＥＢページ表示画像保存手段と、製版データから縮小した印刷画像を生成する縮小印刷画像生成手段と、縮小した印刷画像とテキストデータとＷＥＢページ画像を組み合わせた二次元コード検査情報を作成する検査情報作成手段とを備えた二次元コード検査支援装置である。【選択図】図１
2007026042.tif 000002
【特許請求の範囲】
【請求項１】
ニ次元コードを含む製版データを画像メモリーに保持する製版データ取得手段と、
前記保持された製版データからニ次元コードを抽出する二次元コード抽出手段と、
前記抽出された二次元コード画像を復号して、二次元コードに埋め込まれていたテキストデータを取得する二次元コード復号手段と、
ニ次元コード画像を含んだ製版画像とニ次元コードに埋め込まれたテキストデータとを組み合わせた二次元コード検査情報を作成する検査情報作成手段と、
を備えた二次元コード検査支援装置。
【請求項２】
二次元コード検査支援装置と少なくとも一つのＷＥＢサイトが、ネットワークを構成していて、
前記二次元コード検査支援装置は、
前記二次元コード復号手段が、ＷＥＢサイトの所在情報を含んだニ次元コード画像を復号して、ＷＥＢサイトの所在情報を取得して、
前記検査情報作成手段が、ニ次元コード画像を含んだ製版画像とニ次元コードに埋め込まれたテキストデータと保存されたＷＥＢページ画像と組み合わせた二次元コード検査情報を作成して、
前記取得されたＷＥＢサイトの所在情報にて、前記ＷＥＢサイトに接続して、ＷＥＢページデータを取得してＷＥＢページ画像を生成するブラウザと、
前記生成されたＷＥＢページ画像を保存するＷＥＢページ表示画像保存手段と、
を備える、
ことを特徴とする請求項１に記載の二次元コード検査支援装置。
【請求項３】
製版データから縮小した印刷画像を生成する縮小印刷画像生成手段、
を備えて、
前記検査情報作成手段は、前記縮小した印刷画像とニ次元コードに埋め込まれたテキストデータと保存されたＷＥＢページ画像を組み合わせた二次元コード検査情報を作成する、
ことを特徴とする請求項１、または、請求項２に記載の二次元コード検査支援装置。
【請求項４】
前記縮小印刷画像生成手段は、製版データのニ次元コード画像とニ次元コード画像の周辺の製版画像から構成された縮小印刷画像を生成する
ことを特徴とする請求項１から、請求項３のいずれか１項に記載の二次元コード検査支援装置。
【請求項５】
前記二次元コード検査情報は、二次元コード検査表であることを特徴とする請求項１から、請求項４のいずれか１項に記載の二次元コード検査支援装置。
【請求項６】
ニ次元コードを含む製版データを画像メモリーに保持する製版データ取得ステップと、
前記保持された製版データからニ次元コードを抽出する二次元コード抽出ステップと、
前記抽出された二次元コード画像を復号して、二次元コードに埋め込まれていたテキストデータを取得する二次元コード復号ステップと、
ニ次元コード画像を含んだ製版画像とニ次元コードに埋め込まれたテキストデータとを組み合わせた二次元コード検査情報を作成する検査情報作成ステップと、
を含んだ手順でなされることを特徴とする二次元コード検査方法。
【請求項７】
前記二次元コード復号ステップは、ＷＥＢサイトの所在情報を含んだニ次元コード画像を復号して、ＷＥＢサイトの所在情報を取得して、
前記検査情報作成ステップは、ニ次元コード画像を含んだ製版画像とニ次元コードに埋め込まれたテキストデータと保存されたＷＥＢページ画像と組み合わせた二次元コード検査情報を作成して、
前記取得されたＷＥＢサイトの所在情報にて、ＷＥＢサイトに接続して、ＷＥＢページデータを取得してＷＥＢページ画像を生成するブラウジングステップと、
前記生成されたＷＥＢページ画像を保存するＷＥＢページ表示画像保存ステップと、
を含んだ手順でなされる、
ことを特徴とする請求項６に記載の二次元コード検査方法。
【請求項８】
製版データから縮小した印刷画像を生成する縮小印刷画像生成ステップと、
前記検査情報作成ステップは、前記縮小した印刷画像とニ次元コードに埋め込まれたテキストデータと保存されたＷＥＢページ画像を組み合わせた二次元コード検査情報を作成すること、
を含んだ手順でなされる、
ことを特徴とする請求項６、または、請求項７に記載の二次元コード検査方法。
【請求項９】
前記縮小印刷画像生成ステップは、ニ次元コード画像とニ次元コード画像の周辺の製版画像空構成された印刷画像を生成する
ことを特徴とする請求項６から、請求項８のいずれか１項に記載の二次元コード検査方法。
【請求項１０】
前記二次元コード検査情報は、二次元コード検査表であることを特徴とする請求項６から、請求項９のいずれか１項に記載の二次元コード検査支援方法。
【請求項１１】
コンピュータに組込むことによって、コンピュータを請求項１から請求項５のいずれか１項に記載の二次元コード検査支援装置として動作させるコンピュータプログラム。
【請求項１２】
請求項１１に記載のコンピュータプログラムを記録したコンピュータ読取り可能な記録媒体。
【発明の詳細な説明】
【技術分野】
【０００１】
本発明は、二次元コード印刷の検査において、製版データに含まれる二次元コードデータを用いた二次元コード検査支援装置に関するものである。
【背景技術】
【０００２】
従来から、印刷物された二次元コードの検査作業においては、二次元コード読取装置を用いて印刷物の二次元コードを読み取り、二次元コードを検査している。
【０００３】
たとえば、従来技術１には、二次元コードをサーマルプリンタにて印刷して、二次元コード読取装置にて、印刷結果の検査を行う技術が提案されている。（従来技術１）
【特許文献１】特開２００４−１６０９８１号公報（７−９頁、図１〜３）
【発明の開示】
【発明が解決しようとする課題】
【０００４】
ところが、従来技術１では、多数の二次元コードを検査するときは、検査印刷や読み取りの作業負荷が重くなる問題があった。また、二次元コードが多数存在することで、二次元コードの読み取り漏れが発生するという欠点があった。更には、二次元コード読取装置を使用して検査するために、通常の印刷検査工程とは異なる設備を用いた作業形態をとるために、検査作業の能率が低下してしまい望ましい状態ではなかった。
【０００５】
本発明は、このような従来技術を考慮してなされたものであって、本発明の課題は、容易で、作業能率が向上する二次元コード印刷の検査を支援する装置を提供することである。
【課題を解決するための手段】
【０００６】
本発明は、以下のような解決手段により、前記課題を解決する。すなわち、請求項１に記載の発明は、二次元コードを含む製版データを画像メモリーに保持する製版データ取得手段と、前記保持された製版データから二次元コードを抽出する二次元コード抽出手段と、
前記抽出された二次元コード画像を復号して、二次元コードに埋め込まれていたテキストデータを取得する二次元コード復号手段と、二次元コード画像を含んだ製版画像と二次元コードに埋め込まれたテキストデータとを組み合わせた二次元コード検査情報を作成する検査情報作成手段と、を備えた二次元コード検査支援装置である。
【０００７】
製版データに含まれる二次元コードから復号させたテキストデータを二次元コード検査情報（二次元コード検査表）に掲載させることにより、検査者がテキストデータを確認して、二次元コードの検査が可能となる。
【０００８】
請求項２に記載の発明は、二次元コード検査支援装置と少なくとも一つのＷＥＢサイトが、ネットワークを構成していて、前記二次元コード検査支援装置は、前記二次元コード復号手段が、ＷＥＢサイトの所在情報を含んだニ次元コード画像を復号して、ＷＥＢサイトの所在情報を取得して、前記検査情報作成手段が、ニ次元コード画像を含んだ製版画像とニ次元コードに埋め込まれたテキストデータと保存されたＷＥＢページ画像と組み合わせた二次元コード検査情報を作成して、前記取得されたＷＥＢサイトの所在情報にて、前記ＷＥＢサイトに接続して、ＷＥＢページデータを取得してＷＥＢページ画像を生成するブラウザと、前記生成されたＷＥＢページ画像を保存するＷＥＢページ表示画像保存手段と、を備える、ことを特徴とする請求項１に記載の二次元コード検査支援装置である。
【０００９】
二次元コードにＷＥＢサイトの所在情報（たとえば、ＵＲＬ）が含まれるときに、所在情報にて接続したＷＥＢサイトのページ画像を二次元コード検査情報(検査表)に掲載させることにより、検査者がＷＥＢサイトのページ画像を確認して、二次元コードの検査が可能となる。
【００１０】
請求項３に記載の発明は、製版データから縮小した印刷画像を生成する縮小印刷画像生成手段を備えて、前記検査情報作成手段は、前記縮小した印刷画像とニ次元コードに埋め込まれたテキストデータと保存されたＷＥＢページ画像を組み合わせた二次元コード検査情報を作成することを特徴とする請求項１、また、請求項２に記載の二次元コード検査支援装置である。
【００１１】
請求項４に記載の発明は、前記縮小印刷画像生成手段は、ニ次元コード画像とニ次元コード画像の周辺の製版画像から構成された縮小印刷画像を生成することを特徴とする請求項１から、請求項３のいずれか１項に記載の二次元コード検査支援装置である。
【００１２】
請求項５に記載の発明は、前記二次元コード検査情報は、二次元コード検査表であることを特徴とする請求項１から、請求項４のいずれか１項に記載の二次元コード検査支援装置である。
【００１３】
請求項６に記載の発明は、ニ次元コードを含む製版データを画像メモリーに保持する製版データ取得ステップと、前記保持された製版データからニ次元コードを抽出する二次元コード抽出ステップと、前記抽出された二次元コード画像を復号して、二次元コードに埋め込まれていたテキストデータを取得する二次元コード復号ステップと、ニ次元コード画像を含んだ製版画像とニ次元コードに埋め込まれたテキストデータとを組み合わせた二次元コード検査情報を作成する検査情報作成ステップと、を含んだ手順でなされることを特徴とする二次元コード検査方法である。
【００１４】
請求項７に記載の発明は、前記二次元コード復号ステップは、ＷＥＢサイトの所在情報を含んだニ次元コード画像を復号して、ＷＥＢサイトの所在情報を取得して、前記検査情報作成ステップは、ニ次元コード画像を含んだ製版画像とニ次元コードに埋め込まれたテキストデータと保存されたＷＥＢページ画像と組み合わせた二次元コード検査情報を作成して、前記取得されたＷＥＢサイトの所在情報にて、ＷＥＢサイトに接続して、ＷＥＢページデータを取得してＷＥＢページ画像を生成するブラウジングステップと、前記生成されたＷＥＢページ画像を保存するＷＥＢページ表示画像保存ステップと、を含んだ手順でなされる、ことを特徴とする請求項６に記載の二次元コード検査方法である。
【００１５】
請求項８に記載の発明は、製版データから縮小した印刷画像を生成する縮小印刷画像生成ステップを含んだ手順でなされて、前記検査情報作成ステップは、前記縮小した印刷画像とニ次元コードに埋め込まれたテキストデータと保存されたＷＥＢページ画像を組み合わせた二次元コード検査情報を作成することを特徴とする請求項７に記載の二次元コード検査方法である。
【００１６】
請求項９に記載の発明は、前記縮小印刷画像生成ステップは、ニ次元コード画像とニ次元コード画像の周辺の製版画像空構成された印刷画像を生成することを特徴とする請求項６から、請求項８のいずれか１項に記載の二次元コード検査方法である。
【００１７】
請求項１０に記載の発明は、前記二次元コード検査情報は、二次元コード検査表であることを特徴とする請求項６から、請求項９のいずれか１項に記載の二次元コード検査支援装置である。
【００１８】
請求項１１に記載の発明は、コンピュータに組込むことによって、コンピュータを請求項１から請求項５のいずれか１項に記載の二次元コード検査支援装置として動作させるコンピュータプログラムである。
【００１９】
請求項１２に記載の発明は、請求項１１に記載のコンピュータプログラムを記録したコンピュータ読取り可能な記録媒体である。
【発明の効果】
【００２０】
本願発明によれば、印刷物の二次元コードの正しさを確認する作業において、製版データに含まれる二次元コードを選択して復号して、埋め込まれていたテキストデータを取り出すことで、二次元コードを印刷する工程を省略することが可能となり、作業時間が短縮されて、印刷材料費が削減される。また、二次元コードの読み取り作業が不要になることで、二次元コード読取装置が不要となり、検査設備費用が低減する。また、製版データに含まれる二次元コードを人手を介さずに自動的に復号させるので、検査漏れを防ぐことが可能となり、検査精度が上がり、検査品質が向上する。
【発明を実施するための最良の形態】
【００２１】
以下、図面等を参照しながら、本発明の実施の形態について、更に詳しく説明する。ここで、検査表作成手段は、請求項に記載の検査情報作成手段に相当する。図１は、本発明による二次元コード検査支援装置の大まかな処理の流れを説明する図である。二次元コード検査支援装置１００は、インターネット５００を介して、ＷＥＢサイト３００と接続されている。二次元コード検査支援装置１００は、二次元コードを含む製版データ７００を読込み、メモリに記憶する（図１（ア））。メモリに記憶された製版データ７００の中から、二次元コードデータを抽出して、この抽出した二次元コードデータを復号して、ＷＥＢサイト３００の所在情報であるＵＲＬを取得する（同（イ））。取得したＵＲＬにて、ＷＥＢサイト３００にアクセスして、ＷＥＢページデータを取得してＷＥＢページ画像を生成する（同（ウ））。ＷＥＢサイト３００は、ＷＥＢページデータを提供する（同（エ））。二次元コード画像を含んだ製版画像と復号取得したＵＲＬデータと生成したＷＥＢページ画像とを組み合わせた二次元コード検査表２００を作成する（同（オ））。
【００２２】
図２は、二次元コード検査支援装置の構成図である。二次元コード検査支援装置１００は、製版データ取得手段１１０と、二次元コード抽出手段１２０と、二次元コード復号手段１３０と、ブラウザ１９０と、ＷＥＢページ表示画像保存手段１４０と、縮小印刷画像生成手段１５０と、検査表作成手段１６０を備える。
【００２３】
二次元コード検査表２００は、二次元コード画像を含んだ製版画像と、二次元コードに埋め込まれたテキストデータと、保存されたＷＥＢページ画像とを組み合わせた印刷データである。
【００２４】
製版データ取得手段１１０は、二次元コードを含む製版データ７００を画像メモリーに保持する。二次元コード抽出手段１２０は、保持された製版データ７００から二次元コードを抽出する。二次元コード復号手段１３０は、画像メモリーに格納された二次元コード画像を復号して、二次元コードに埋め込まれていたテキストデータを取得して、テキストデータに含まれるＷＥＢサイトの所在情報（ＵＲＬ）を選択する。ブラウザ１９０は、取得したＵＲＬにて、ＷＥＢサイト３００にアクセスして、ＷＥＢページデータを取得してＷＥＢページ画像を生成する。ＷＥＢページ表示画像保存手段１４０は、生成されたＷＥＢページ画像を保存する。縮小印刷画像生成手段１５０は、製版データ７００の二次元コードとその周辺の画像を取得して、縮小した印刷画像を生成する。検査表作成手段１６０は、二次元コード画像を含んだ製版画像と二次元コードに埋め込まれたテキストデータと保存されたＷＥＢページ画像と組み合わせた二次元コード検査表２００を作成する。
【００２５】
図３は、二次元コード検査表２００の例である。たとえば、二次元コードとして、ＱＲコード（登録商標）を用いた例である。二次元コード検査表２００は、縮小印刷画像２００ａとＵＲＬ２００ｂとＷＥＢページ画像２００ｃを組み合わせた一覧表である。縮小印刷画像２００ａは、製版データ７００から生成される印刷画像を縮小したものを用いる。ＵＲＬ２００ｂは、ＱＲコードから復号した、ＷＥＢサイト３００のＵＲＬである。ＷＥＢページ画像２００ｃは、ＵＲＬにて、ＷＥＢサイト３００から取得したＷＥＢページデータにより生成した画像で、縮小したものを用いる。
【００２６】
図４は、本発明による二次元コード検査支援装置のフローチャートである。
（１）製版データ取得手段１１０は、ＱＲコードを含む製版データ７００を画像メモリーに保持する。（ステップＳ１０１）
（２）二次元コード抽出手段１２０は、保持された製版データ７００からＱＲコードを抽出する。（ステップＳ１０２）
（３）検査するＱＲコード画像があるか判定する。復号していないＱＲコード画像があれば、次のステップに進む。全てのＱＲコード画像を復号していれば、ステップ（８）に進む。（ステップＳ１１１）
（４）二次元コード復号手段１３０は、画像メモリーに格納されたＱＲコード画像を復号して、ＱＲコードに埋め込まれていたテキストデータを取得して、テキストデータに含まれるＷＥＢサイト３００のＵＲＬを選択する。（ステップＳ１２１）
（５）ブラウザ１９０は、取得したＵＲＬにて、ＷＥＢサイト３００にアクセスして、ＷＥＢページデータを取得してＷＥＢページ画像を生成する。（ステップＳ１２２）
（６）ＷＥＢページ表示画像保存手段１４０は、生成されたＷＥＢページ画像を保存する。（ステップＳ１２３）
（７）縮小印刷画像生成手段１５０は、製版データ７００の二次元コードとその周辺の画像を取得して、縮小した印刷画像を生成する。ステップ（３）に戻る。（ステップＳ１２４）
（８）検査表作成手段１６０は、縮小した印刷画像とＱＲコードに埋め込まれていたＷＥＢサイト３００のＵＲＬと保存されたＷＥＢページ画像を組み合わせた二次元コード検査表２００を作成する。（ステップＳ１２５）
【００２７】
なお、二次元コード検査表２００は、縮小した印刷画像２２０ａの代わりに、二次元コード画像を含んだ原寸大の印刷画像の一部を用いても、同様の効果を得られる。同じように、縮小したＷＥＢページ画像２００ｃの代わりに、原寸大のＷＥＢページ画像の一部を用いても、同様の効果を得られる。また、印刷画像の代わりに、製版画像を用いても、同様の効果を得られる。更に、検査情報の一覧表には、製版データのページ番号を掲載したり、二次元コードの座標値を掲載してもよい。
【００２８】
以上詳しく説明したように、本願発明によれば、印刷物の二次元コードの正しさを確認する作業において、製版データに含まれる二次元コードを自動認識して復号させて、埋め込まれていたテキストデータを取り出すことで可能となり、二次元コードを印刷する工程を省略するので、作業時間を短縮して、印刷材料費を削減できた。また、二次元コードの読み取り作業が不要になることに伴って、二次元コード読取装置が不要となり、設備費用を低減した。また、製版データに含まれる二次元コードを人手を介さずに復号させるので、検査漏れを防ぐことができた。
【図面の簡単な説明】
【００２９】
【図１】本発明による二次元コード検査支援装置の大まかな処理の流れを説明する図
【図２】二次元コード検査支援装置の構成図
【図３】二次元コード検査表の例
【図４】本発明による二次元コード検査支援装置のフローチャート
【符号の説明】
【００３０】
１００  二次元コード検査支援装置
１１０  製版データ取得手段
１２０  二次元コード抽出手段
１３０  二次元コード復号手段
１４０  ＷＥＢページ表示画像保存手段
１５０  縮小印刷画像生成手段
１６０  検査表作成手段
１８０  記憶手段
１９０  ブラウザ
２００  二次元コード検査表
２００ａ  縮小印刷画像
２００ｂ  ＵＲＬ
２００ｃ  ＷＥＢページ画像
３００  ＷＥＢサイト
５００  インターネット
７００  製版データ
【図１】
2007026042.tif 000003
【図２】
2007026042.tif 000004
【図３】
2007026042.tif 000005
【図４】
2007026042.tif 000006